【事件の表示】
　特許第３４７１０３０号「パチンコ機」の請求項１に係る特許に対する特許異議の申立てについて、次のとおり決定する。
【結　論】
　特許第３４７１０３０号の請求項１に係る特許を維持する。
【理　由】
第１．手続きの経緯
　特許第３４７１０３０号の請求項１に係る発明についての出願は、平成３年７月２２日に特許出願され、平成１５年９月１２日にその発明について特許権の設定登録がなされ、その後、その特許について、異議申立人河井清悦より特許異議の申立てがなされたものである。
　
第２．特許異議の申立ての理由についての判断
１．特許異議の申立ての理由の概要
　申立人は、
　甲第１号証：特開平５−３９５９号公報 
　甲第２号証：特開昭６３−３１７１７５号公報
　甲第３号証：特開昭６３−１２８４４８号公報
　甲第４号証：特開平１−２６１７７０号公報
　を提出し、
　本件請求項１に係る発明は、
（１−１）本件出願の日前の出願であって、その出願後に出願公開された特願平３−１８１８３８号（特開平５−３９５９号；甲第１号証）の願書に最初に添付した明細書又は図面に記載された発明と同一であり、しかも、この出願の発明者がその出願前の出願に係る上記の発明をした者と同一ではなく、またこの出願の時において、その出願人がその出願前の出願に係る上記特許出願の出願人と同一でもないから、特許法第２９条の２の規定により特許を受けることができないものであるとし、
（１−２）本件特許出願前に頒布された刊行物である甲第２号証（特開昭６３−３１７１７５号公報）に記載された発明及び周知技術（甲第２乃至４号証）に基づき、容易に発明をすることができたものであるから、特許法第２９条第２項の規定により特許を受けることができないものであるとし、
　本件発明についての特許は、取り消されるべきものであると主張している。
　
２．本件発明
　特許第３４７１０３０号の請求項１に係る発明は、その特許請求の範囲の請求項１に記載された事項により特定される次のとおりのものである。
【請求項１】玉貸可能信号を出力する遊技球送り出し手段と玉貸要求信号を出力するカード処理手段とを有し、同遊技球送り出し手段にて同カード処理手段が出力する玉貸要求信号を受信し、適宜玉貸可能信号の信号状態を制御しつつ同玉貸要求信号に応じて所定数の遊技球を送り出すとともに、同カード処理手段にて同遊技球送り出し手段が出力する玉貸可能信号を受信し、適宜玉貸要求信号の信号状態を制御しつつカード状記録媒体を読み書きして精算を行なうパチンコ機において、
上記遊技球送り出し手段は、上記カード処理手段から受信する玉貸要求信号の信号状態に基づいて同カード処理手段の異常を検出する第１異常検出手段と、上記第１異常検出手段にて異常が検出された場合、同カード処理手段の異常状態を視認可能に表示する第１異常表示手段とを備えるとともに、
上記カード処理手段は、上記遊技球送り出し手段から受信する玉貸可能信号の信号状態に基づいて同遊技球送り出し手段の異常を検出する第２異常検出手段と、上記第２異常検出手段にて異常が検出された場合、同遊技球送り出し手段の異常状態を視認可能に表示する第２異常表示手段とを備えることを特徴とするパチンコ機。（以下、「本件発明」という。）
　
３．特許異議の申立の理由に提出された甲号各証に記載された発明
　（３−１）甲第１号証（特願平３−１８１８３８号（特開平５−３９５９号）の願書に最初に添付した明細書又は図面）には以下の記載がある。 
　「【０００９】
【実施例】図１には、本発明に係るカード式パチンコ遊技機の一実施例が示されている。この実施例では、パチンコ遊技機１００と玉貸機２００とが対をなすように構成されており、各玉貸機２００にはカードリーダが内蔵され、玉貸機２００の前面パネル２１０には上記カードリーダに対応してカード挿排口２１１と、挿入されたカードの残高を表示する挿入残高表示器２２０、玉貸機が作動状態にあることを表示する有効表示ランプ２３０が設けられている。」
　「【００１０】一方、パチンコ遊技機１００の前面パネル１０１に設けられている供給皿１２０の上面には、操作パネル１２１が形成され、この操作パネル１２１上に上記カード挿排口２１１に挿入されたカードの残高を表示する残高表示器１２２と、貸し玉への変換の指令を与える変換ボタン１２３と、カードの排出（返却）を指令する返却ボタン１２４と、上記変換ボタン１２３が有効中であることを表示する玉貸し可能表示ランプ１２６が設けられている。」
　「【００１１】なお、１１２は賞品玉排出時に点灯される賞品球排出表示ランプ、また・・・」
　「【００２２】・・・図４には、パチンコ遊技機１００の制御系の一実施例が示されている。この制御系は大きく分けると、主としてパチンコ遊技機１００の遊技盤に関する制御を司る遊技盤制御装置４００と、カードリーダ等の制御を司る玉貸し制御装置５００と、上記球排出装置１７０の制御を司る排出制御装置６００とにより構成されている。」
　「【００２４】排出制御装置６００は、上記玉貸し制御装置５００または遊技盤制御装置４００からの排出指令信号に基づいて上記球排出装置１７０内の２条の案内樋７１０の途中に設けられた一対のストッパ７４５を作動させる排出ソレノイド７４１ａ，７４１ｂを励磁して、排出センサ７３０ａ，７３０ｂの検出信号に基づいて各案内樋７１０内の予備球を所定数だけ排出させるとともに、・・・」
　「【００２５】また、排出制御装置６００は、・・・排出時には排出指令信号の内容に応じて例えば賞品球排出表示ランプ１１２または貸し玉排出表示ランプ１１３を点灯させたり、・・・」
　「【００２６】玉貸し制御装置５００は、パチンコ遊技機１００内のカードリーダからの読取りデータを受けて挿入残高表示器２２０に対する駆動信号や残高表示器１２２に対する表示駆動信号およびカードリーダが作動状態にあることを表示する有効表示ランプ２３０やパチンコ遊技機に設けられている玉貸し可能表示ランプ１２６に対する駆動信号を形成したり、・・・また、玉貸し制御装置５００は、玉貸し変換スイッチ（１２３）とカード返却スイッチ（１２４）のオン信号を受け付けるとともに、排出制御装置６００に対して玉貸し要求信号ＢＲＱを送ったり、・・・」
　「【００３２】図７には排出制御装置６００の構成例を示す。この実施例の排出制御装置６００は、・・・排出ソレノイド７４１ａ，７４１ｂを駆動して賞品球の排出や球抜を行なう排出制御手段６５０と、玉貸し制御装置５００からの玉貸し要求信号ＢＲＱに基づいて玉貸し排出数を演算し排出制御手段６１０に知らせる貸し玉排出制御手段６７０と、・・・とにより構成されている。」
　「【００３４】また、排出制御手段６５０は、・・・排出時には排出指令信号の内容に応じて例えば賞品球排出表示ランプ１１２または貸し玉排出表示ランプ１１３を点灯させたり、遊技盤制御装置４００に対して賞品球もしくは貸し玉の排出音要求信号を送出する。」
　「【００３６】貸し玉排出制御手段６７０は、・・・玉貸し制御装置５００からの玉貸し要求信号ＢＲＱおよびカード挿入信号Ｌと賞球数要求手段６２０からの賞球排出中を示す信号Ｙとに基づいて玉貸排出制御を開始すべきか判定する玉貸開始判定手段６７２と、・・・玉貸し制御装置５００に対して玉貸し排出が可能な状態にあることを知らせる玉貸し可能信号ＲＤＹや１回（１００円分）の貸し玉の排出が終了したことを知らせる貸し玉排出終了信号ＥＸＳ、賞球数要求手段６２０に対して貸し玉排出制御中であることを知らせる信号ｘを形成する排出制御信号形成部６７４等から構成されている。・・・」
　「【００３９】図９は玉貸し制御装置５００の構成例を示す。この実施例の玉貸し制御装置５００は、シングルチップマイコン等からなる制御部５１０と、この制御部５１０とカードリーダ制御装置２５０との間のデータ送受信のインターフェースを行なうトランシーバ５０２と、・・・玉貸可能表示ランプ１２６および玉貸有効表示ランプ２３０を駆動するドライブ回路ＤＲＶ１，ＤＲＶ２と、・・・等によって構成されている。」
　「【００４０】また、上記制御部５１０は、カードリーダ制御装置２５０からのデータを読み込んでカードの残高データを判定しカードがカードリーダ内に存在することを示すカード有無信号ＣＯＮを出力したり挿入残高表示器２２０に対する表示データを形成するカード残高判定手段５１１と、玉貸し排出があったときにカード残高を減算して残高表示器２２０に対する表示データを形成したりカードリーダ制御装置２５０に対する書込データや指令を形成するカード残高減算手段５１２と、・・・から構成されている。」
　「【００４１】また、この実施例では、上記玉貸し要求信号ＢＲＱと玉貸し排出終了信号ＥＸＳとから、玉貸し要求送信後所定時間内に排出が開始されなかったり玉貸し排出開始後所定時間内に一連の玉貸し排出が終了しなかった場合に、排出エラーと判定して上記カード返却要求手段５１３に対してカード返却指令を与える排出開始時間監視手段５１８および排出時間監視手段５１９が設けられている。さらに、玉貸し可能判定手段５１５は、上記カード残高判定手段５１１から信号および排出制御装置６００からの玉貸し可能信号ＲＤＹに基づいてドライブ回路５０７を駆動して、上記玉貸し変換ボタン１２４が有効である間だけ玉貸し可能表示ランプ１２６を点灯させ、玉貸し排出が実行されている間は玉貸し可能表示ランプ１２６を消灯させるようになっている。・・・」
　「【００５７】・・・玉貸可能信号ＲＤＹは排出制御装置６００が貯留タンク１５１内の玉不足または遊技盤の打止め状態を検知した場合に、ロウレベルに変化される信号であり、システムの電源が投入され排出制御装置６００の制御が開始されるときには、玉貸可能信号ＲＤＹがハイレベル状態にされる。・・・」
　「【００５８】・・・この玉貸し可能表示器１２６は、後述のファンクション送受信処理（図１７，１８）において、カードリーダ制御装置２５０からカード金額を受信したときに点灯されるランプである。・・・」
　「【００７０】・・・玉貸可能表示器１２６が消灯されているのは玉貸し処理中もしくはカードがカードリーダ内に存在しないということであるので、返却ボタンがオンされてもカードの返却をカードリーダに指令する必要がないからである。」
　「【００８９】次に、上述した排出制御装置６００によって行なわれる賞品球および貸し玉の排出制御の手順を図２３ないし図４９を参照して詳細に説明する。・・・」
　「【００９０】続くステップＳ２では、タイマの更新や各種センサからの検出信号、入力信号の読込みを行なうバックグランド処理が行なってから、ステップＳ３に進み、後述のＢＲＱ信号読込み処理（図３１）中でセットされる玉貸し要求信号ＢＲＱの立下りフラグが「１」であるか否か判定し、フラグが「１」のときはステップＳ１０の貸玉処理を行ない、・・・」
　「【０１３９】・・・賞球排出表示器１１２（セーフランプ）・・・」
　「【０１５３】図４４は、前述した賞球排出制御装置のメインルーチン（図２３）のステップＳ１０で実行される貸出処理の手順を示すフローチャートで、このフローは図３１の球貸し要求信号ＢＲＱの読込み処理によって信号の立下りエッジが検出されることにより開始され、所定数の貸し球の排出が行なわれる。・・・」
　「【０１７１】一方、上記ステップ６５７５で玉貸し要求信号ＢＲＱがハイレベルに変化する前にステップ６５７２で設定したタイマ１がタイムアップしたと判定すると、ステップ６５８５へ移行し、球抜きソレノイドをオン、セーフランプを点灯、玉貸し可能信号ＲＤＹをロウレベルにネゲートして貸出排出処理を中止する。所定時間内に玉貸し制御装置５００から応答信号が戻ってこないのは通信ラインの切断等重大な故障が発生したと考えられるからである。」
　「【０１７２】次に、カードリーダにカードが挿入され、パチンコ遊技機１００に設けられた変換ボタン１２３が押されて玉貸し要求がなされた場合において、上記玉貸し制御装置５００と排出制御装置６００との間で送受信される信号の具体的なタイミングを図５０を用いて説明する。・・・」
　「【０１７５】ただし、玉貸し制御装置５００は、玉貸し要求信号ＢＲＱをロウレベルにアサート（タイミングｔ３）してから１０秒経過しても排出終了信号ＥＸＳがロウレベルに変化しなかったり、排出終了信号ＥＸＳがロウレベルに変化（タイミングｔ４，ｔ７，ｔ１０）してから１０秒経過しても排出終了信号ＥＸＳがハイレベルに変化しなかった場合（Ｔ１＜１０秒，Ｔ２＜１０秒）には、カードリーダにカード排出指令を送って玉貸し制御を中断する（図１５のステップＳ８１３４，Ｓ８１４２参照）。一方、排出制御装置６００は、最後の排出終了信号ＥＸＳをハイレベルに変化（タイミングｔ１１）させてから１００ｍ秒経過しても玉貸し要求信号ＢＲＱがハイレベルに変化しなかった場合（Ｔ３＜１００ｍ秒）には、異常発生（正常なら７５ｍ秒で変化する）と判断して球抜きソレノイドをオン、セーフランプを点灯、玉貸し可能信号ＲＤＹをロウレベルにネゲートして貸し玉の排出処理を中止する（図４９のステップＳ６５７２，Ｓ６５７５参照）。」
　
　したがって、
　甲第１号証には、
　「玉貸し可能信号ＲＤＹを出力する排出制御装置６００と玉貸し要求信号ＢＲＱを出力する玉貸し制御装置５００とを有し、
　排出制御装置６００は玉貸し制御装置５００からの玉貸し要求信号ＢＲＱに基づいて予備球を所定数だけ排出させるとともに、玉貸し制御装置５００にて排出制御装置６００が出力する玉貸し可能信号ＲＤＹを受信し、カードリーダの制御を司るカード式パチンコ遊技機において、
　排出制御装置６００は、上記玉貸し制御装置５００から受信する玉貸し要求信号ＢＲＱの信号状態に基づいて異常が検出された場合、異常状態を視認可能に表示する賞球排出表示器１１２（セーフランプ）を備えるとともに、
　上記玉貸し制御装置５００は、カードリーダ制御装置２５０からカード金額を受信したときに点灯される玉貸し可能表示ランプ１２６を備えるカード式パチンコ遊技機」の発明（以下、「引用発明１」という。）が記載されていると認められる。
　
　（３−２）甲第２号証（特開昭６３−３１７１７５号公報）には以下の記載がある。 
　公報第１頁の特許請求の範囲には「（１）磁気カード挿入口と、磁気カードの残使用回数又は残使用金額を表示する残数表示部と、該磁気カード挿入口に連設された磁気カードリーダー部と、所定数のパチンコ玉を貯溜するパチンコ玉貯溜手段と、パチンコ玉の玉切れを感知する玉切れセンサーと、パチンコ玉の玉詰まりを感知する玉詰まりセンサーと、貯溜されているパチンコ玉を該パチンコ玉貯溜手段から開放する開放手段と、を有するパチンコ玉貸装置に制御コンピュータを接続し、所定の磁気カードが該磁気カード挿入口に挿入され引き出されると該磁気カードの磁気情報が該磁気カードリーダー部によって読み取られ、この磁気情報とともに玉貸要求信号が該制御コンピュータに送られ、該制御コンピュータは送られてきた磁気カード情報及び玉貸要求信号が所定の玉貸条件を充足する場合には玉貸許可信号を該玉貸装置に送り返して貯溜されているパチンコ玉を開放して玉貸を行うようにした磁気カード式パチンコ玉貸システムにおいて、一のＩ／Ｏインターフェイスを介在して同一機能の制御コンピュータを複数台設け、システム運転中、複数台の制御コンピュータは互いに正常動作確認信号の交信を続け、玉貸装置と接続している制御コンピュータに異常が発生した場合に玉貸装置との接続を他の正常の制御コンピュータに自動的に切り換えるようにしたことを特徴とする磁気カード式パチンコ玉貸システム。」と、
　公報第６頁右上欄第８行乃至左下欄第１行には「（実施例）
　以下に本発明の一実施例を添付図面に基づいて説明する。
　第１図において、２は磁気カ−ド式パチンコ玉貸装置で、その前面には磁気カード挿入口４が設けられている。該磁気カード挿入口４の後部には磁気カードリーダー部６が連設されており、該磁気カードリーダー部６には磁気カードの磁気情報の読み取りを行う磁気ヘッド８が設けられている（第２図）。該磁気カード挿入口４から挿入される磁気カードＭの磁気情報が磁気ヘッド８によって読み取られ、該読み取られた磁気情報は後記する制御コンピュータＣ１又はＣ２に送られて記録され必要な制御が行われる。」と、
　公報第６頁左下欄第７行乃至第１１行には「Ｃ１及びＣ２は該磁気カード式パチンコ玉貸装置２にＩ／Ｏインターフェイス９を介して接続され該玉貸装置２の制御を行う制御部及び必要な記憶を行う記憶部を有する正副２台の制御コンピュータであり、・・・」と、
　公報第８頁左上欄第６行乃至第１４行には「第５図及び第６図において、１６は玉貸要求表示部となる玉貸要求中ランプで、磁気カ−ド挿入口４に磁気カ−ドＭが挿入引き出されたときに点灯し、玉貸要求動作が行われている間中は点灯しているが、玉貸動作が完了しまたはなんらかの理由（例えば、玉切れ又は玉詰まりが所定時間内に解消しない場合または磁気カ−ドが不正カ−ドであると判断された場合など）によって玉貸動作が行われなくなった場合には消灯する。」と、
　公報第８頁右上欄第４行乃至左下欄第２行には「１８はＩ／Ｏインターフェイス９を介して制御コンピュータＣ１及びＣ２に接続された警報装置である。該玉貸装置２は玉貸動作を行う毎に制御コンピュータＣ１及びＣ２に玉貸完了信号を送るように構成されている。・・・制御コンピュータＣ１又はＣ２が玉貸許可信号を出したにもかかわらず所定時間内（０〜１０秒程度に設定）に玉貸完了信号が返ってこない場合には、玉貸装置２の故障か又は通信系統に異常が発生しているものである。また、制御コンピュータＣ１又はＣ２が玉貸許可信号を出していないにもかかわらず玉貸完了信号が返ってくる場合には、玉貸装置２の故障か又は通信系統に異常が発生しているか又は悪戯又は不正使用されているものである。これらの場合に、該警報装置１８が警報を発し異常発生を報知するようになつている。この警報装置１８としては、玉貸装置２に警報ランプを設け、それを点灯してもよいし、・・・」と、
　公報第８頁右下欄第１７行乃至第９頁左上欄第２行には「一方、玉切れ又は玉詰まりが存在しない場合又は当初は玉切れ又は玉詰まりが検知されたが上記所定時間内に玉切れ又は玉詰まりが解消した場合には、玉貸要求（玉貸の許否の問い合わせ）信号及び玉貸要求数の信号が制御コンピュータＣ１及びＣ２に送られる。」と、
　公報第９頁右上欄第１５行乃至左下欄第８行には「玉貸が完了すると玉貸完了の信号が制御コンピュータＣ１及びＣ２に送られ、一回の玉貸動作が終了する。所定時間内に玉貸完了信号が制御コンピュータＣ１及びＣ２に返ってこない場合には、玉貸装置２の故障か又は通信系統に異常が発生しているものであり、また、制御コンピュータＣ１及びＣ２が玉貸許可信号を出していないにもかかわらず玉貸完了信号が返ってくる場合には、玉貸装置２の故障か又は通信系統に異常が発生しているか又は悪戯又は不正使用されているものであるが、これらの場合に、該警報装置１８が警報を発し異常発生を報知する。係員が異常の発生している玉貸装置に赴き、故障なり異常なりを処理することとなる。」と、それぞれ記載されている。
　
　したがって、これらの記載と、図面、特に、接続説明図である第１図の記載事項とを併せると、
　甲第２号証には、　　　　　　　　　　　
　「玉貸要求（玉貸の許否の問い合わせ）信号を出力する磁気カード式パチンコ玉貸装置２と玉貸許可信号を出力する制御コンピュータＣ１及びＣ２とを有し、
　制御コンピュータはパチンコ玉貸装置から送られてきた玉貸要求信号が所定の玉貸条件を充足する場合には玉貸許可信号を該玉貸装置に送り返して該玉貸装置にて玉貸を行うとともに、磁気カードリーダー部を備えたパチンコ玉貸装置２と制御コンピュータＣ１及びＣ２とを接続した磁気カード式パチンコ玉貸システムにおいて、
　パチンコ玉貸装置２は、玉貸要求動作が行われている間中は点灯して玉貸動作が行われなくなった場合には消灯する玉貸要求中ランプ１６を備えるとともに、
　制御コンピュータＣ１及びＣ２は、パチンコ玉貸装置２の故障又は通信系統の異常が発生している場合に、報知する警報装置１８を備える磁気カード式パチンコ玉貸システム。」の発明（以下、「引用発明２」という。）が記載されていると認められる。
　（３−３）甲第３号証（特開昭６３−１２８４４８号公報）の
　公報第１頁右下欄第３行乃至第５行には「本発明は互いに情報の授受を行う複数のコンピュータにおけるコンピュータ監視システムに関する。」と、
　公報第２頁右下欄第１７行乃至第２０行には「２５は入出力インタフェース（Ｉ／Ｏ）であり、第１のＭＰＵ１１に異常が生じたときには第２のＭＰＵ２６によりその異常を検知しＩ／Ｏ２５を介して表示ランプ３３を点灯させる。」と、
　公報第３頁左上欄第３行乃至第９行には「このような構成において、本発明は、互いに情報授受を行うコンピュータが互いに送信先のコンピュータの状態を監視し、その異常を検知したときは送信先の異常を知らせる表示パネル上の表示ランプの点滅、点灯によりどのコンピュータが異常を起こしたかを操作者が知ることができるようにしたものである。」と、それぞれ記載されている。
　
　したがって、甲第３号証には、
「互いに情報授受を行うコンピュータが互いに送信先のコンピュータの状態を監視し、その異常を検知したときは送信先の異常を知らせる表示パネル上の表示ランプの点滅、点灯によりどのコンピュータが異常を起こしたかを操作者が知ることができるようにしたコンピュータ監視システム。」の発明が記載されていると認められる。
　
　（３−４）甲第４号証（特開平１−２６１７７０号公報）の
　公報第３頁左上欄第４行乃至第７行には「本発明は、各種データを伝送するデータ伝送装置及び・・・に関し、特に、ノイズ対策に係るものである。」と、
　公報第８頁左上欄第１２行乃至第１９行には「つまり、上記メインＣＰＵ（６１）は異常検出手段（６１ｄ）がノイズを検出すると報知手段（６１ｅ）がサブＣＰＵ（６２）に異常を報知する一方、上記サブＣＰＵ（６２）は異常検出手段（６２ｄ）がノイズを検出すると報知手段（６２ｅ）がメインＣＰＵ（６１）に異常を報知し、夫々判別手段（６１ｆ），（６２ｆ）が異常報知を判定するようにしている。」と、それぞれ記載されている。
　
　したがって、甲第４号証には、
「メインＣＰＵ（６１）の異常検出手段（６１ｄ）がノイズを検出するとサブＣＰＵ（６２）に異常を報知する一方、上記サブＣＰＵ（６２）の異常検出手段（６２ｄ）がノイズを検出するとメインＣＰＵ（６１）に異常を報知する、データ伝送装置。」の発明が記載されていると認められる。
　　
４．対比・判断
　本件発明と引用発明１とを対比する。
引用発明１の「玉貸し可能信号ＲＤＹを出力する排出制御装置６００」、「玉貸し要求信号ＢＲＱを出力する玉貸し制御装置５００」、「カード式パチンコ遊技機」は、本件発明の「玉貸可能信号を出力する遊技球送り出し手段」、「玉貸要求信号を出力するカード処理手段」、「パチンコ機」にそれぞれ相当するから、両者は少なくとも次の点で構成が相違すると認められる。
　
　相違点（Ａ）　
　本件発明では、カード処理手段は、遊技球送り出し手段から受信する玉貸可能信号の信号状態に基づいて同遊技球送り出し手段の異常を検出する第２異常検出手段と、上記第２異常検出手段にて異常が検出された場合、同遊技球送り出し手段の異常状態を視認可能に表示する第２異常表示手段とを備えるのに対し、引用発明１では、そのような構成を備えていない点　
　
　そこで、上記相違点について検討する。
　相違点（Ａ）について　
　甲第１号証に記載された玉貸し可能表示ランプ１２６は、カードがカードリーダ内に存在しない場合に消灯（【００７０】に記載）され、カードリーダ制御装置２５０からカード金額を受信したときに点灯（【００５８】に記載）され、変換ボタン１２３が有効中であることを点灯表示（【００１０】【００４１】に記載）し、玉貸し排出が実行されている間は消灯（【００４１】【００７０】に記載）させるものであって、異常状態を表示することについては記載されていない。そして、本件発明は相違点（Ａ）に係る構成を有することにより、「異常が生じたときに、異常が発生した手段を即時に判断することができるため、修理などを敏速に行なうことができ、復旧の敏速化を向上せしめることが可能なパチンコ機を提供することができる。」（【０００９】に記載）という甲第１号証に記載されていない顕著な効果を奏するものであるから、本件発明が甲第１号証に記載された発明と同一とすることはできない。
　
　次に、本件発明と引用発明２とを対比する。
引用発明２の「玉貸許可信号」は、本件発明の「玉貸要求信号」に相当するから、両者は少なくとも次の点で構成が相違すると認められる。
　
　相違点（Ｂ）
　本件発明では、玉貸可能信号を出力する遊技球送り出し手段と玉貸要求信号を出力するカード処理手段とを有し、同遊技球送り出し手段にて同カード処理手段が出力する玉貸要求信号を受信し、同カード処理手段にて同遊技球送り出し手段が出力する玉貸可能信号を受信するパチンコ機であるのに対し、引用発明２では、そのような構成を備えていない点　
　相違点（Ｃ）
　本件発明では、遊技球送り出し手段は、カード処理手段から受信する玉貸要求信号の信号状態に基づいて同カード処理手段の異常を検出する第１異常検出手段と、上記第１異常検出手段にて異常が検出された場合、同カード処理手段の異常状態を視認可能に表示する第１異常表示手段とを備えるとともに、上記カード処理手段は、上記遊技球送り出し手段から受信する玉貸可能信号の信号状態に基づいて同遊技球送り出し手段の異常を検出する第２異常検出手段と、上記第２異常検出手段にて異常が検出された場合、同遊技球送り出し手段の異常状態を視認可能に表示する第２異常表示手段とを備えるのに対し、引用発明２では、そのような構成を備えていない点
　
　そこで、上記相違点について検討する。
　相違点（Ｂ）について　
　引用発明２には、「パチンコ玉貸装置から送られてきた玉貸要求信号が所定の玉貸条件を充足する場合には、制御コンピュータは玉貸許可信号を該玉貸装置に送り返して該玉貸装置にて玉貸を行うパチンコ玉貸装置」が記載されているが、玉貸可能信号を出力する遊技球送り出し手段と玉貸要求信号を出力するカード処理手段とを有するパチンコ機の構成については記載されていない。また、甲第３号証及び甲第４号証においてもパチンコ機の構成については記載されていない。
　したがって、相違点（Ｂ）に係る構成が甲第２号証乃至甲第４号証に記載された事項から当業者が容易になし得たものとすることはできない。
　相違点（Ｃ）について　
　甲第２号証に記載された玉貸要求中ランプ１６は、玉貸要求動作が行われている間中は点灯して玉貸動作が行われなくなった場合には消灯するものであって、異常状態を表示することについては記載されていない。また、異常状態を表示することがない玉貸要求中ランプ１６に、相手側の異常を検知して対応する甲第３号証及び甲第４号証に記載された技術事項を適用することは当業者が容易になし得ることとは認められない。
　
　そして、本件発明は相違点（Ｂ）及び（Ｃ）に係る構成を有することにより、「異常が生じたときに、異常が発生した手段を即時に判断することができるため、修理などを敏速に行なうことができ、復旧の敏速化を向上せしめることが可能なパチンコ機を提供することができる。」（【０００９】に記載）という甲第２号証乃至甲第４号証に記載されていない顕著な効果を奏するものであるから、本件発明が甲第２号証乃至甲第４号証に記載された発明から当業者が容易になし得たものとすることはできない。
　　
第３．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年制令第２０５号）第４条第２項の規定により、結論のとおり決定する。
【異議決定日】
平成１７年６月１６日（２００５．６．１６）